(57)【特許請求の範囲】
【請求項１】
本体部（１）の底面に設けられた丸長穴（４）と、本体部（１）の底面に設けられた複数の位置決め穴（８）と、丸長穴（４）の近傍に設けられた過回転防止リブ（１０）と、外付け筐体（２）の上部に取りつけられるものであって丸長穴（４）に挿入された後９０゜旋回されるＴ字型ロック（３）と、外付け筐体（２）の上面に取りつけられ丸長穴（４）に対応する位置にある複数の位置決めピン（９）と、Ｔ字型ロック（３）に横から嵌め込みＴ字型ロック（３）の脱落を防ぐオサエ金具（５）と、オサエ金具（５）を介してＴ字型ロック（３）の設定角度を保持（戻り防止）するスライド金具（７）と、スライド金具（７）を押圧するバネ（１６）とを有することを特徴とするコインロックによる筐体固定機構。
【請求項２】
外付け筐体（２）は、Ｔ字型ロック（３）が突出しない凹部（１４）を下面に有することを特徴とする請求項１記載のコインロックによる筐体固定機構。
【請求項３】
外付け筐体（２）は、凹部（１４）の中央にＴ字型ロック（３）を挿入するための穴（１５）を有することを特徴とする請求項２記載のコインロックによる筐体固定機構。
【請求項４】
Ｔ字型ロック（３）は、螺子回し（ドライバー）を用いる代りに硬貨（コイン）を利用して旋回できるマイナス溝（６）を底部に有することを特徴とする請求項１記載のコインロックによる筐体固定機構。
【発明の詳細な説明】
【０００１】
【発明の属する技術分野】
本発明はコインロックによる筐体固定機構、特に、ノート型パソコン等に外部電池パッケージを装着する場合に用いられるコインロックによる筐体固定機構に関する。
【０００２】
【従来の技術】
従来のコインロックによる筐体固定機構について図面を参照して詳細に説明する。
【０００３】
図６は第１の従来例を示す斜視図である。図６に示すコインロックによる筐体固定機構は、クレドールを無線機本体に着脱自在に固定した車携帯型自動車電話機に用いられる。（例えば、特開平０５−１６７４９５号公報参照）。
【０００４】
図において、１０１は係止用凹部１０１Ａ，１０１Ｂ、ねじ穴１０１Ｃを形成した無線機本体、１０２はこの無線機本体１０１の係止用凹部１０１Ａ，１０１Ｂにそれぞれ着脱自在に係止する爪１０３Ａ，１０３Ｂ、無線機本体１０１のねじ穴１０１Ｃに入るコインネジ１０４を設けたクレドールである。
【０００５】
コインネジ１０４はクレドール１０２の上面に取り付けられており、未締付時にはスプリング１０５により持ち上げられ、無線機本体１０１の取り付け動作のじゃまにならないようになっている。
【０００６】
動作について説明すると、クレドール１０２を無線機本体１０１に取り付ける場合は、まずクレドール１０２の爪１０３Ａ，１０３Ｂをそれぞれ無線機本体１０１の係止用凹部１０１Ａ，１０１Ｂに引っかけたのち、クレドール１０２を矢印Ａ方向に回動し、クレドール１０２を無線機本体１０１に合わせる。このときクレドール１０２のコインネジ１０４と、無線機本体１０１のねじ穴１０１Ｃが合うため、コインネジ１０４を硬貨を用いて締め付けることにより、クレドール１０２を無線機本体１０１に固定することができる。
【０００７】
なお、クレドール１０２を無線機本体１０１から外す場合は、上述と逆の動作を行なえばよい。
【０００８】
コインネジを採用する場合には、ネジ頭を手で締め付けにくい形状にしておくことにより、硬貨等を道具を用いて締め付け動作が確実に行われるようにし、十分な締付トルクを得られるようにすることにより、締付不良を防止することができる。
【０００９】
図７（ａ），（ｂ）は第２の従来例を示す側面図および部分断面図である。図７（ａ），（ｂ）に示すコインロックによる筐体固定機構は、ＶＴＲ部が着脱自在に結合される放送局用ビデオカメラに用いられる。（例えば、特開平０４−３６５２６９号公報参照）。
【００１０】
上部に前後方向にわたり把手が架設されるとともに、後部にＶＴＲ部２０２が着脱自在に結合されるビデオカメラ２０１において、ビデオカメラ２０１上前部に設けた前部支持部２０１ａに把手２０３の取付前端部２０３ａを、硬貨で回動操作できるコインネジ２０８を用いて、着脱可能に取り付ける。また、後部支持部２０１ｂには、把手２０３の取付後端部２０３ｂを雄ネジ２１１、座金２１２等を用いて取り付ける。
【００１１】
座金２１２は、テーパ部２１２ａとストレート部２１２ｂが形成されていて、テーパ部２１２ａの斜面による後部支持部２０１ｂ側部材への当接によりガタツキが防止でき、ストレート部２１２ｂにより雄ネジ２１１が緩んだ際の落下が防止できる。
【００１２】
図８は第３の従来例を示す側面図である。図８に示すコインロックによる筐体固定機構は、ビデオデッキと、このビデオデッキの底面に着脱自在に取り付けられるチューナとをそれぞれ分離，独立させ、それらを組み合わせて成るＶＴＲに用いられる。（例えば、特開平０４−６９８８５号公報参照）。
【００１３】
図において、３０１はビデオシステムとしての小型ＶＴＲであり、ビデオデッキ３１０、バッテリー３２０、テレビチューナ３３０等からなる。ビデオデッキ３１０の右側面３１０ｃにはバッテリー３２０が着脱自在に取り付けられるようになっている。ビデオデッキ３１０の上面３１０ｂの右側には、バッテリー取り外しボタン３１２が設けてある。
【００１４】
バッテリー３２０の底面３２０ｆで覆い隠された部分には、チューナ本体３３１の上面３３１ｂにビデオデッキ３１０を組み合わせた状態でバッテリー３２０を着脱可能にするためのバッテリー取り出し用の凹部３３１ｄが形成されている。チューナ本体３３１のビデオデッキ３１０の底面３１０ｆのナット３１９に対向する位置には、コインネジ３３４を底面３３１ｆより上面３３１ｂに貫通させて回転抜け止め自在に支持してある。
【００１５】
コインネジ３３４は、硬貨をドライバーとして利用するためのマイナス溝を有した頭部３３４ａをチューナ本体３３１の底面３３１ｆに形成した凹部３３１ｇに位置させているとともに、そのシャンク部３３４ｂの先端に形成した雄ネジ部３３４ｃをナット３１９に螺合自在にしてある。コインネジ３３４のシャンク部３３４ｂには抜け止めワッシャ３３５を介して圧縮コイルバネ３３６を介在してある。この圧縮コイルバネ３３６の付勢力によりコインネジ３３４のシャンク部３３４ｂの先端の雄ネジ部３３４ｃは、常にチューナ本体３３１の上面３３１ｂよりも少し上方に露出して突出するようになっている。これにより、ナット３１９にコインネジ３３４の雄ネジ部３３４ｃを螺合させる際に、雄ネジ部３３４ｃの螺合する位置を容易に探し当てて位置決めすることができる。
【００１６】
【発明が解決しようとする課題】
上述した従来のコインロックによる筐体固定機構は、コインネジを複数回回転させて締め付けなければならないので、セットアップが容易でないという欠点があった。
【００１７】
【課題を解決するための手段】
第１の発明のコインロックによる筐体固定機構は、本体部（１）の底面に設けられた丸長穴（４）と、本体部（１）の底面に設けられた複数の位置決め穴（８）と、丸長穴（４）の近傍に設けられた過回転防止リブ（１０）と、外付け筐体（２）の上部に取りつけられるものであって丸長穴（４）に挿入された後９０゜旋回されるＴ字型ロック（３）と、外付け筐体（２）の上面に取りつけられ丸長穴（４）に対応する位置にある複数の位置決めピン（９）と、Ｔ字型ロック（３）に横から嵌め込みＴ字型ロック３の脱落を防ぐオサエ金具（５）と、オサエ金具（５）を介してＴ字型ロック（３）の設定角度を保持（戻り防止）するスライド金具（７）と、スライド金具（７）を押圧するバネ（１６）とを有することを特徴とする。
【００１８】
第２の発明のコインロックによる筐体固定機構は、第１の発明において、外付け筐体（２）は、Ｔ字型ロック（３）が突出しない凹部（１４）を下面に有することを特徴とする。
【００１９】
第３の発明のコインロックによる筐体固定機構は、第２の発明において、外付け筐体（２）は、凹部（１４）の中央にＴ字型ロック（３）を挿入するための穴（１５）を有することを特徴とする。
【００２０】
第４の発明のコインロックによる筐体固定機構は、第１の発明において、Ｔ字型ロック（３）は、螺子回し（ドライバー）を用いる代りに硬貨（コイン）を利用して旋回できるマイナス溝（６）を底部に有することを特徴とする。
【００２３】
【発明の実施の形態】
次に、本発明について図面を参照して詳細に説明する。
【００２４】
図１は本発明の一実施形態を示す斜視図である。図１に示すコインロックによる筐体固定機構は、本体部１の底面に設けられた丸長穴４と、本体部１の底面に設けられた複数の位置決め穴８と、丸長穴４の近傍に設けられた過回転防止リブ１０と、外付け筐体２の上部に取りつけられるものであって丸長穴４に挿入された後９０゜旋回されるＴ字型ロック３と、外付け筐体２の上面に取りつけられ丸長穴４に対応する位置にある複数の位置決めピン９とを含んで構成される。
【００２５】
図２（ａ），（ｂ）は図１に示す外付け筐体２の詳細を示す分解斜視図である。外付け筐体２の下面には、Ｔ字型ロック３が突出しないような凹部１４があり、凹部１４の中央にはＴ字型ロック３を挿入するための穴１５がある。
【００２６】
Ｔ字型ロック３の底部には、Ｔ字型ロック３を螺子回し（ドライバー）を用いる代りに硬貨（コイン）を利用して旋回できるようなマイナス溝６がある。
【００２７】
穴１５に挿入されたＴ字型ロック３には、横からオサエ金具５が嵌め込まれて、Ｔ字型ロック３の脱落を防ぎ、オサエ金具５はバネ１６に押されるスライド金具７によってＴ字型ロック３がコイン等で設定された角度を保持（戻り防止）する。
【００２８】
過回転防止リブ１０は、Ｔ字型ロック３の頭部にあるＴ字部分が旋回した場合突き当って過回転を防止するものである。
【００２９】
図３は外付け筐体２の詳細を示す一部破断底面図である。
【００３０】
図４は本発明の一使用例を示す側面図である。ノート型パソコン等の本体部１にバッテリー等が収容された外付け筐体２が固定された模様が示される。
【００３１】
外付け筐体２に固定されている３の先端を丸長穴４と同一方向にあわせた状態で、本体部１と外付け筐体２とを位置決め穴８と位置決めピン９に従い嵌め合わせる。その後Ｔ字型ロック３のマイナス溝６をコイン等を使用して９０度回転させる。オサエ金具５の角形状に対してスライド金具７がバネ１６で押しているため、Ｔ字型ロック３の先端は常に丸長穴４に対して同一方向（着脱可能状態）  ま  たは直角方向（ロック状態）を保持する（戻り防止）ようになっている。
【００３２】
同様に逆の手順でＴ字型ロック３を反対に９０度回転させることでロックを解除することができる。
【００３３】
図５は本発明の他の実施例を示す一部破断底面図である。スライド金具７には、スライド金具７がスライドすることを利用してスライド金具７によってＯＮ／ＯＦＦする検出スイッチ１１が追加されている。これにより、コイン操作と電気的に信号のＯＮ／ＯＦＦを連動させることができる。
【００３４】
【発明の効果】
本発明のコインロックによる筐体固定機構は、筐体同士を連結・固定する際に、簡単な操作で確実な固定・取り外しが行うことができ、かつ機構が単純なため、少ないスペースですむという効果がある。
【図面の簡単な説明】
【図１】本発明の一実施形態を示す斜視図である。
【図２】（ａ），（ｂ）は図１に示す外付け筐体２の詳細を示す分解斜視図である。
【図３】外付け筐体２の詳細を示す一部破断底面図である。
【図４】本発明の一使用例を示す側面図である。
【図５】本発明の他の実施例を示す一部破断底面図である。
【図６】第１の従来例を示す斜視図である。
【図７】（ａ），（ｂ）は第２の従来例を示す側面図および部分断面図である。
【図８】第３の従来例を示す側面図である。
【符号の説明】
１    本体部
２    外付け筐体
３    Ｔ字型ロック
４    丸長穴
５    オサエ金具
６    マイナス溝
７    スライド金具
８    位置決め穴
９    位置決めピン
１０    過回転防止リブ
１１    検出スイッチ
【図１】
0003589106.tif 000002
【図２】
0003589106.tif 000003
【図３】
0003589106.tif 000004
【図４】
0003589106.tif 000005
【図５】
0003589106.tif 000006
【図６】
0003589106.tif 000007
【図７】
0003589106.tif 000008
【図８】
0003589106.tif 000009